(57)【要約】【課題】時刻修正のための受信トライアル動作の開始、成否、受信電波種別等を、時針・分針・秒針を使用して的確に表示可能とした針式電波時計の動作状態表示方法を提供すること。【解決手段】通常運針状態からの移行により、４０ｋＨｚと６０ｋＨｚのいずれかの標準時刻電波に関する受信トライアル動作が開始されたときには、所定の停止解除条件が成立するまでの間、時針と分針については通常通りに運針を継続させる一方、秒針については文字盤上に設定された４０ｋＨｚ用停止位置と６０ｋＨｚ用停止位置のうちで、受信トライアル中の標準時刻電波の周波数に対応する停止位置に停止させておく。【選択図】図２
2005351779.tif 000002
【特許請求の範囲】
【請求項１】
４０ｋＨｚの標準時刻電波と６０ｋＨｚの標準時刻電波との一つを受信トライアル動作を通じて自動的に選択受信して時刻修正を行う機能を備えた針式電波時計において、
通常運針状態からの移行により、４０ｋＨｚと６０ｋＨｚのいずれかの標準時刻電波に関する受信トライアル動作が開始されたときには、所定の停止解除条件が成立するまでの間、時針と分針については通常通りに運針を継続させる一方、秒針については文字盤上に設定された４０ｋＨｚ用停止位置と６０ｋＨｚ用停止位置のうちで、受信トライアル中の標準時刻電波の周波数に対応する停止位置に停止させておく、ことを特徴とする針式電波時計の動作状態表示方法。
【請求項２】
初期状態からの移行により、いずれかの標準時刻電波に関する受信トライアル動作が開始されたときには、所定の停止解除条件が成立するまでの間、時針、分針、秒針のすべてを文字盤上の所定位置に停止させておく、ことを特徴とする請求項１に記載の針式電波時計の動作状態表示方法。
【請求項３】
４０ｋＨｚと６０ｋＨｚのいずれかの標準時刻電波に関する選択受信が成功により終了したときには、文字盤上に設定された４０ｋＨｚ用停止位置又は６０ｋＨｚ用停止位置から選択受信成功用停止位置にまで秒針を早送りで移動させ、その位置に所定時間以上にわたり一時停止させる、ことを特徴とする請求項１又は２に記載の針式電波時計の動作状態表示方法。
【請求項４】
４０ｋＨｚと６０ｋＨｚのいずれかの標準時刻電波に関する選択受信が失敗により終了したときには、文字盤上に設定された４０ｋＨｚ用停止位置又は６０ｋＨｚ用停止位置から、通常運針動作を直ちに再開させる、ことを特徴とする請求項１又は２に記載の針式電波時計の動作状態表示方法。
【請求項５】
所定の停止解除条件が、当該標準時刻電波に関する受信トライアル動作が成功したと判定されることである、ことを特徴とする請求項１〜４のいずれかに記載の針式電波時計の動作状態表示方法。
【請求項６】
４０ｋＨｚ用停止位置が文字盤上の４時の位置であり、６０ｋＨｚ用停止位置が文字盤上の６時の位置である、ことを特徴とする請求項１〜４のいずれかに記載の針式電波時計の動作状態表示方法。
【請求項７】
選択受信成功用停止位置が文字盤上の１２時の位置である、ことを特徴とする請求項３に記載の針式電波時計の動作状態表示方法。
【発明の詳細な説明】
【技術分野】
【０００１】
この発明は、置き時計等として好適な針式電波時計の動作状態表示方法に係り、特に、時刻修正のための受信トライアル動作の開始、成否、受信電波種別等を、時針・分針・秒針を使用して的確に表示可能とした針式電波時計の動作状態表示方法に関する。
【背景技術】
【０００２】
４０ｋＨｚの標準時刻電波と６０ｋＨｚの標準時刻電波との一つを受信トライアル動作を通じて自動的に選択受信して時刻修正を行う機能を備えた針式電波時計は、従来より知られている（例えば、特許文献１参照）。
【０００３】
このような針式電波時計によれば、日本国中どこに持ち歩こうとも、その場所に最適な標準時刻電波が自動的に選択受信されるため、利用者は手動により標準時刻電波を選択する手間が掛からない利点がある。また、日本国中のどこでも使用可能であることから、贈答品としての利用価値が高い。
【特許文献１】特開２００２−２６７７７５
【発明の開示】
【発明が解決しようとする課題】
【０００４】
しかしながら、従来の自動選択受信機能を有する針式電波時計（例えば、置き時計や掛け時計）にあっては、ＬＥＤやＬＣＤなどの表示装置を併せ持つ比較的高価な時計以外では、受信動作が行われている最中であるのか否か、４０ｋＨｚ又は６０ｋＨｚのどちらの標準時刻電波を受信中であるのか、と言った情報を取得する術がなかったため、利用者は受信動作（時刻修正）が行われているのか不安であったり、どちらの送信所に向けて設置すれば良いかを迷うことがあった。
【０００５】
この発明は、上述の問題点に着目してなされたものであり、その目的とするところは、時刻修正のための受信トライアル動作の開始、成否、受信電波種別等を、時針・分針・秒針を使用して的確に表示可能とした針式電波時計の動作状態表示方法を提供することにある。
【０００６】
この発明のさらに他の目的並びに作用効果については、明細書の以下の説明を参照することにより、当業者であれば容易に理解されるであろう。
【課題を解決するための手段】
【０００７】
この発明の針式電波時計の動作状態表示方法は、４０ｋＨｚの標準時刻電波と６０ｋＨｚの標準時刻電波との１つを受信トライアル動作を通じて自動的に選択受信して時刻修正を行う機能を備えた針式電波時計に適用される。すなわち、この方法は、通常運針状態からの移行により、４０ｋＨｚと６０ｋＨｚの何れかの標準時刻電波に関する受信トライアル動作が開始されたときには、所定の停止解除条件が成立するまでの間、時針と分針については通常どおりに運針を継続させる一方、秒針については文字盤上に設定された４０ｋＨｚ用の停止位置と６０ｋＨｚ用停止位置のうちで、受信トライアル中の標準時刻電波の周波数に対応する停止位置に停止させておく、ことを特徴とするものである。
【０００８】
このような構成によれば、予め文字盤上に設定された４０ｋＨｚ用停止位置と６０ｋＨｚ用停止位置との何れかにおいて、秒針が停止されていることに基づいて、ユーザは現在受信トライアル中であること、並びに、どの電波で受信トライアルを行っているかを、目視確認することができる。しかも、この受信トライアル中にあっても、時針及び分針については通常どおりに運針を継続するため、受信に長時間かかる場合にも時刻表示機能を損ねることもない。また、微針の駆動によるノイズの減少も期待される。尚、『通常運針状態』とは、時針、分針、秒針を通常どおりに運針させながら、現在時刻を時々刻々と表示している状態を意味する。
【０００９】
上記の動作状態表示方法にあっては、初期状態からの移行により、何れかの標準時刻電波に関する受信トライアル動作が開始されたときには、所定の停止解除条件が成立するまでの間、時針、分針、秒針の全てを文字盤上の所定位置に停止させておくようにしても良い。
【００１０】
このような構成によれば、電池の挿入やリセットボタンの操作等により、初期状態からの移行により、何れかの標準時刻電波に関する受信トライアル動作が開始されたときには、受信トライアル動作が終了するまで、時針、分針、秒針の全ては文字盤上の所定位置に停止されているため、初期状態からの移行直後から、時針、分針、秒針が運針されて、意味のない時刻を表示し続けるといった状態を回避することができる。
【００１１】
尚、『初期状態からの移行により』とは、先ほど述べたように、電池の挿入や、リセットボタンの操作などにより、受信トライアル動作へ移行することを意味する。
【００１２】
上述の動作状態表示方法にあっては、４０ｋＨｚと６０ｋＨｚの何れかの標準時刻電波に関する選択受信が成功により終了したときには、文字盤上に設定された４０ｋＨｚ用停止位置または６０ｋＨｚ用停止位置から選択受信成功用停止位置にまで秒針を早送りで移動させ、その位置に所定時間以上にわたり一時停止させる、ようにしても良い。
【００１３】
このような構成によれば、受信トライアル動作に続いて、秒針が予め決められた選択受信成功用停止位置に所定時間以上にわたり一時停止していることに基づいて、受信トライアルに成功したことを目視確認することが可能となる。
【００１４】
上記の動作状態表示方法にあっては、４０ｋＨｚと６０ｋＨｚの何れかの標準時刻電波に関する選択受信が失敗により終了したときには、文字盤上に設定された４０ｋＨｚ用停止位置または６０ｋＨｚ用停止位置から、通常運針動作を直ちに再開させるようにしても良い。
【００１５】
このような構成によれば、受信トライアル動作に続いて、直ちに通常運針動作が再開されたことに基づいて、受信トライアル動作に失敗したことを、目視確認させることができる。
【００１６】
上述の動作状態表示方法において、『所定の停止解除条件』としては、当該標準時刻電波に関する受信トライアル動作が成功したと判定されること、としても良い。このような構成によれば、受信トライアル動作が開始された後、受信トライアル動作が成功するまでの間に限り、秒針は文字盤上に設定された４０ｋＨｚ用停止位置と６０ｋＨｚ用停止位置の何れかに停止し続けることとなるため、受信トライアル動作状態にあることを、明確に、目視確認させることができる。
【００１７】
上述の動作状態表示方法においては、４０ｋＨｚ用停止位置が文字盤上の４時の位置にあり、６０ｋＨｚ用停止位置が文字盤上の６時の位置にあるようにしても良い。
【００１８】
このような構成によれば、４０ｋＨｚについては『４』、６０ｋＨｚについては『６』となって、何れの周波数の電波を受信しているかを、文字盤上の表示数値から直感的に理解しやすいという利点がある。
【００１９】
上述の動作状態表示方法にあっては、受信成功用停止位置が文字盤上の１２時の位置であっても良い。
【００２０】
このような構成によれば、秒針が初期位置に復帰することから、受信トライアルに成功したことを、直感的に目視確認することができる。
【発明の効果】
【００２１】
本発明によれば、通常運針状態からの移行により、４０ｋＨｚと６０ｋＨｚの何れかの標準時刻電波に関する受信トライアル動作が開始されたときには、所定の停止解除状態が成立するまでの間、時針と分針については通常どおりに運針を継続させる一方、秒針については文字盤上に設定された４０ｋＨｚ用停止位置と６０ｋＨｚ用停止位置のうちで、受信トライアル中の標準時刻電波の周波数に対応する停止位置に停止させておくため、時刻表示動作を損ねることなく、秒針の停止位置に基づいて、４０ｋＨｚと６０ｋＨｚの何れの標準時刻電波に関して受信トライアル動作が継続中であるかを、ユーザに対して目視確認させることができる。
【発明を実施するための最良の形態】
【００２２】
以下に、この発明の好適な実施の一形態を、添付図面に従って詳細に説明する。
【００２３】
本発明の一実施形態である電波時計の電気的ハードウェア構成を示すブロック図が図１に示されている。同図に示されるように、この電波時計の電気的ハードウェア構成は、ＣＰＵ１と、受信回路ＩＣ２と、アンテナ部３と、モータドライブ用アンプ１４と、時分用モータ１５と、秒用モータ１６とを主体として構成されている。
【００２４】
ＣＰＵ１は、マイクロプロセッサ、ＲＯＭ、ＲＡＭ等を主体として構成されており、いわゆるワンチップマイクロコンピュータとして機能構成されている。後にフローチャートを参照して説明する各種の制御プログラムは、このＣＰＵ１内のＲＯＭに格納されており、その実行にあたっては、ＲＡＭのワーク領域が使用される。この種のＣＰＵの基本的な内部回路については、既に種々の文献により公知であるから、内部回路の具体的な詳細については説明を省く。尚、１１はＣＰＵクロック用水晶、１２は第１の操作ボタン、１３は第２の操作ボタンである。
【００２５】
アンテナ部３は、受信用コイル３１と、第１のコンデンサ３２と、第２のコンデンサ３３と、アナログスイッチ３４とを含んでいる。アナログスイッチ３４がオフ状態のとき、受信コイル３１に対しては第１のコンデンサ３２のみが並列に接続される。アナログスイッチ３４がオン状態のときには、受信コイル３１に対して、第１のコンデンサ３２と第２のコンデンサ３３との双方が並列に接続される。これにより、アナログスイッチ３４のオンオフ操作によって、アンテナ３は４０ｋＨｚの標準時刻電波と６０ｋＨｚの標準時刻電波とに対して選択的に同調可能となる。アナログスイッチ３４のオンオフ制御は、ＣＰＵ１から出力される４０ｋＨｚ／６０ｋＨｚ切換信号Ｓ３により行われる。
【００２６】
受信回路ＩＣ２は、アンテナ部３からの信号を増幅する高周波増幅段と、その後段に設けられた双頭型選択特性を有するバンドパスフィルタと、バンドパスフィルタの通過信号を増幅する最終増幅段とを含んでいる。バンドパスフィルタの２つの通過周波数は、第１のフィルタ用水晶２１と、第２のフィルタ用水晶２２によって規定される。これにより、このバンドパスフィルタは、４０ｋＨｚと６０ｋＨｚの周波数を選択的に通過させるようになっている。この受信回路ＩＣ２は、受信動作（受信トライアル動作）を行っている場合に限り給電されて動作する。この給電は、受信回路ＯＮ／ＯＦＦ信号Ｓ２により制御される。受信回路ＩＣ２で受信された時刻情報はＴＣＯ信号Ｓ１としてＣＰＵ１へと送られる。ＣＰＵ１から、受信回路ＯＮ／ＯＦＦ信号Ｓ２、並びに、４０ｋＨｚ／６０ｋＨｚ切換信号Ｓ３が出力されることにより、４０ｋＨｚの標準時刻電波と６０ｋＨｚの標準時刻電波との何れかに関する受信トライアル動作が行われる。
【００２７】
この種の電波時計において、ＣＰＵ１は、通常運針モードと時刻修正モードとを実行する。通常運針モードにおいては、所定の基準クロックをカウントすることによって、内部時刻データを進ませながら、これに合わせて時針・分針・秒針のそれぞれを時刻に合わせて運針させる。時刻修正モードにあっては、４０ｋＨｚの標準時刻電波と６０ｋＨｚの標準時刻電波の１つを受信トライアル動作を通じて自動的に選択受信して時刻修正を行う。時刻修正モードの起動は、予め定められた時間毎に、あるいはユーザによるマニュアル起動操作により実行される。時刻修正モードの起動条件については、種々の文献において既に公知であるから説明は省く。
【００２８】
この実施形態の電波時計にあっては、時針・分針の駆動と、秒針の駆動とは、別々のモータによって行われる。すなわち、時分用モータ１５は、時針及び分針の駆動のために使用され、秒用モータ１６は秒針の駆動のためのみに用いられる。これらのモータ１５，１６の動作は、モータドライブ用アンプ１４を介して、ＣＰＵ１からの制御により行われる。尚、５はバッテリや、ＡＣアダプタ等で実現される電源部である。
【００２９】
上述の電気的ハードウェア構成は、置き時計や掛け時計のみならず腕時計においても共通であるが、この実施の形態においては、置き時計または掛け時計として実現されている。この場合、第１の操作ボタン１２は強制受信開始として機能し、第２の操作ボタン１３は手動時刻設定用として使用される。
【００３０】
次に、通常運針時において、所定時刻が到来して自動受信が開始された場合、あるいは所定の押しボタン操作などによって強制的に受信が開始された場合の処理を示すフローチャートが図２に示されている。
【００３１】
同図において、処理が開始されると、自動受信時刻になったこと、又は強制受信操作があったことを待機しつつ（ステップ１０２ＮＯ）、通常運針処理が実行される（ステップ１０１）。
【００３２】
この状態において、自動受信時刻になったこと、あるいは強制受信操作があったことが確認されると（ステップ１０２ＹＥＳ）、時刻修正のための受信トライアル動作が開始される。この受信トライアル動作の開始においては、時針及び分針については受信動作中も通常運針動作を継続させるために、所定の通常運針許可フラグは“１”にセットされる（ステップ１０３）。続いて、４０ｋＨｚの標準時刻電波に関する受信トライアル動作が開始される。
【００３３】
４０ｋＨｚの標準時刻電波に関する受信トライアル動作が開始されると、まず秒針についてだけが、４０ｋＨｚを意味する文字盤上の所定位置へと高速で移動し、そこで停止する（ステップ１０４）。
【００３４】
いま仮に、図５に示されるように、受信トライアル動作の開始時刻が『２時１８分００秒』であったものと想定する。尚、図５〜図７において、６は時針、７は分針、８は秒針である。
【００３５】
図５に示される受信開始時刻において、ステップ１０３及び１０４の処理が実行されると、図６（ａ）に示されるように、秒針８は文字盤上の『１２』の位置から『４』の位置まで早送りで移動され、以後所定の停止解除条件が成立するまで、数値『４』の位置に停止される。一方、図６（ａ）の状態では明らかではないが、時針６及び分針７についてはその後も通常運針動作を行う。
【００３６】
続いて、ＣＰＵ１から４０ｋＨｚ／６０ｋＨｚ切換信号Ｓ３及び受信回路ＯＮ／ＯＦＦ信号Ｓ２を出力することによって、４０ｋＨｚの標準時刻電波に関する受信トライアル動作が開始される（ステップ１０５）。この４０ｋＨｚの受信トライアル動作中にあっては、常時、時刻電波の状態が悪く受信出来そうも無いか否かを判定する（ステップ１０６）。ここで、時刻電波の状態が悪く受信出来そうも無いと判定されると（ステップ１０６ＹＥＳ）、続いて、６０ｋＨｚの標準時刻電波に関する受信トライアル動作への切換えが行われる。
【００３７】
６０ｋＨｚの受信トライアル動作の開始にあたっては、まず、図６（ｂ）に示されるように、秒針８を６０ｋＨｚを意味する文字盤上の数値『６』の位置へと高速で早送り移動させ、その位置に所定の停止解除条件が成立するまで停止させる（ステップ１０８）。
【００３８】
その後、ＣＰＵ１から、４０ｋＨｚ／６０ｋＨｚ切換信号Ｓ３及び受信回路ＯＮ／ＯＦＦ信号Ｓ２を出力することによって、６０ｋＨｚの受信トライアル動作が開始される（ステップ１０９）。この６０ｋＨｚの受信トライアル動作中にあっても、時刻電波の状態が悪く受信出来そうも無いか否かが常に判定される（ステップ１１０）。
【００３９】
時刻電波の状態が悪く受信出来そうも無いと判定されると（ステップ１１０ＹＥＳ）、以後針表示時刻とＣＰＵ内部時計とが一致するまで秒針は停止を続ける（ステップ１１５）。しかる後、停止を解除して、通常運針動作へと復帰する（ステップ１０１）。
【００４０】
一方、４０ｋＨｚの受信トライアル動作中に、受信成功と判定されたとき（ステップ１０７ＹＥＳ）、又は６０ｋＨｚの受信トライアル動作中に受信成功と判定されたときには（ステップ１１１ＹＥＳ）、図７（ａ）に示されるように、秒針７は受信成功を意味する文字盤上の『１２』の位置まで高速で早送り移動され（ステップ１１２）、しかる後、秒針は一定時間以上停止する（ステップ１１３）。
【００４１】
その後、時刻の修正動作が行われる（ステップ１１４）。この時刻修正動作（ステップ１１４）は、受信した時刻と表示時刻とが一致するまで針（時針６、分針７、秒針８）を高速で早送り移動させる。
【００４２】
尚、先に述べたように、６０ｋＨｚの受信トライアル動作中において（ステップ１０９）、時刻電波の状態が悪く受信出来そうも無いと判定されたとき（ステップ１１０ＹＥＳ）、図７（ｂ）に示されるように、針表示時刻とＣＰＵ内部時刻とが一致するまで秒針は停止を続ける。
【００４３】
以上説明したように、この実施形態によれば、通常運針中に（ステップ１０１）、受信トライアル動作が開始された場合には（ステップ１０２ＹＥＳ）、時針と分針については受信動作中も通常運針を継続させる一方（ステップ１０３）、秒針については、４０ｋＨｚの受信トライアル動作中にあっては数値『４』の位置へ、また６０ｋＨｚの受信トライアル動作中にあっては数値『６』の位置へと移動させて停止させ続けるため、秒針８の停止位置が『４』であるか『６』であるかによって、受信トライアル動作中であること及び４０ｋＨｚと６０ｋＨｚの何れにおいて受信トライアル動作中であるかを、ユーザは容易に目で見て確認することができる。
【００４４】
しかも、受信動作に成功した場合には、秒針８は受信成功を意味する『１２』の位置へと移動して一定時間停止する一方、受信失敗の場合にはそのような『１２』への移動はなく、直ちに運針を再開することから、秒針８の挙動を監視することによって、受信トライアル動作の正否について目で見て容易に確認することができる。
【００４５】
次に、初期受信時の処理を示すフローチャートが図３及び図４に示されている。同図において、電池を挿入またはリセットスイッチを押すことによって処理が開始されると、全ての針が原点サーチを行って原点に停止する（ステップ２０１）。同時に、ＣＰＵ内部時計は時刻のカウントを開始する（ステップ２０２）。
【００４６】
しかる後、受信トライアル動作が開始される。この受信トライアル動作の開始にあたっては、時針及び分針については受信動作中は停止状態とするために、所定のフラグをリセットする（ステップ２０３）。受信トライアル動作にあっては、まず最初に、４０ｋＨｚの標準時刻電波に関する受信トライアル動作を開始する。
【００４７】
４０ｋＨｚの標準時刻電波に関する受信トライアル動作の開始にあたっては、まず、先の通常運針時と同様に、秒針８は４０ｋＨｚを意味する数値『４』の位置へと高速で早送り移動され、その位置に停止される（ステップ２０４）。
【００４８】
その後、先の場合と同様にして、４０ｋＨｚの受信トライアル動作を行いつつ（ステップ２０５）、時刻電波の状態が悪く受信出来そうも無いか否かの判定を行う（ステップ２０６）。
【００４９】
ここで、時刻電波の状態が悪く受信出来そうも無いと判定されると（ステップ２０６ＹＥＳ）、続いて、６０ｋＨｚの受信トライアル動作への移行が行われる。
【００５０】
６０ｋＨｚの受信動作の開始にあたっては、秒針８を６０ｋＨｚを意味する数値『６』の位置へと高速で早送り移動させ、その場で停止させる（ステップ２０８）。しかる後、６０ｋＨｚの受信動作を行いつつ（ステップ２０９）、時刻電波の状態が悪く受信出来そうも無いか否かの判定を行う（ステップ２１０）。ここで、時刻電波の状態が悪く受信出来そうも無いと判定されると（ステップ２１０ＹＥＳ）、図４のステップ２１５へ進んで、針表示時刻とＣＰＵ内部時計が一致するまで秒針は停止を続ける（ステップ２１５）。
【００５１】
これに対して、４０ｋＨｚの受信動作中に、受信成功と判定されたり（ステップ２０７ＹＥＳ）、あるいは６０ｋＨｚの受信トライアル動作中に受信成功と判定されると（ステップ２１１ＹＥＳ）、図４ステップ２１２へ進んで、秒針８は受信成功を意味する文字盤上の数値『１２』の位置へ高速で移動され（ステップ２１２）、その後一定時間以上停止させられる（ステップ２１３）。しかる後、停止が解除されたならば、秒針は受信した時刻と表示時刻が一致するまで高速で運針され（ステップ２１４）、通常運針への復帰（リターン）が行われる。
【００５２】
このように、初期状態からの移行により、受信トライアル動作が開始された場合には、全ての針６，７，８は原点に停止状態を継続し、４０ｋＨｚと６０ｋＨｚの何れかの電波の受信に成功するのを待って、通常の運針動作へと復帰する。以後、図２で説明した通常運針時の各種の処理が繰り返し実行されることとなる。
【００５３】
尚、以上の実施の形態においては、４０ｋＨｚの受信トライアル動作中にあっては数値『４』の位置、６０ｋＨｚの受信トライアル動作中にあっては数値『６』の位置に、秒針を継続的に停止させることとしたが、それらの停止位置については、任意に定めることができる。さらに、そのような秒針停止位置から復帰するまでの時間についても、受信成功に拘わらず、一定のタイマ時間で設定したりすることもできる。
【図面の簡単な説明】
【００５４】
【図１】電波時計の電気的ハードウェア構成を示すブロック図である。
【図２】自動受信または強制受信のときの処理を示すフローチャートである。
【図３】初期受信時の処理を示すフローチャート（その１）である。
【図４】初期受信時の処理を示すフローチャート（その２）である。
【図５】針による状態表示例の説明図（その１）である。
【図６】針による状態表示例の説明図（その２）である。
【図７】針による状態表示例の説明図（その３）である。
【符号の説明】
【００５５】
１    ＣＰＵ
２    受信回路ＩＣ
３    アンテナ部
５    電源
１１  ＣＰＵクロック用水晶
１２  第１の操作ボタン
１３  第２の操作ボタン
１４  モータドライブ用アンプ
１５  時分用モータ
１６  秒用モータ
２１  第１の水晶
２２  第２の水晶
３１  受信用コイル
３２  第１のコンデンサ
３３  第２のコンデンサ
３４  アナログスイッチ
Ｓ１  ＴＣＯ信号
Ｓ２  受信回路ＯＮ／ＯＦＦ信号
Ｓ３  ４０ｋＨｚ／６０ｋＨｚ切換信号
【図１】
2005351779.tif 000003
【図２】
2005351779.tif 000004
【図３】
2005351779.tif 000005
【図４】
2005351779.tif 000006
【図５】
2005351779.tif 000007
【図６】
2005351779.tif 000008
【図７】
2005351779.tif 000009